(57)【要約】【課題】天井等の高い位置に設置され、内部空間の狭い機器に組み込まれる送風機の羽根の着脱が容易で、かつ、羽根の落下を確実に阻止できる羽根の着脱装置を提供することを目的とする。【解決手段】回転軸５の凹溝７に係合する保持部１２と、押圧することにより保持部１２を移動させる押圧部１３とを一体に形成した一対の羽根ロック部１１と、羽根ロック部１１の全体を覆う有底筒状のカバー１８とからなり、カバー１８には、押圧部１３に係合して押圧部１３の動きを阻止する突起状の押圧部固定部２０と、内周面に、カバー１８を上下移動すると押圧部１３を内側に倒す方向に当接する突起部２１とを設けた構成にすることにより、カバー１８を取り付けたままで羽根１の着脱が容易にでき、また、羽根１が落下するのを確実に阻止でき、安全性が向上する。【選択図】図２
2010163870.tif 000002
【特許請求の範囲】
【請求項１】
回転軸に設けた羽根回り止め部に係合する係合部を備えた羽根のボス部に設けられ、前記回転軸に形成された凹溝に係合する保持部と、押圧することにより前記保持部を移動させる押圧部とを一体に形成した一対の羽根ロック部を備え、前記一対の羽根ロック部は、一対の前記保持部と前記押圧部をそれぞれにおいて前記回転軸を囲むように横断面形状でほぼＵ字状に形成し、前記一対の保持部を内面側で前記回転軸の前記凹溝を挟持するように設け、前記押圧部を内側に倒すことで前記保持部の保持力が解除されるように設けて構成されるとともに、前記羽根ロック部の全体を覆う有底筒状のカバーを前記羽根ロック部に上下方向移動自在に取り付け、前記カバーには、底面の裏面側に、前記押圧部に係合して前記押圧部の動きを阻止する突起状の押圧部固定部を設け、内周面に、前記押圧部固定部と前記押圧部との係合が解除される位置まで前記カバーを移動すると、前記押圧部を内側に倒す方向に当接する突起部を設けたことを特徴とする羽根の着脱装置。
【請求項２】
カバーの内部に係止板を設け、前記係止板の上端部に第１の係止爪を、中間部に第２の係止爪を形成し、羽根ロック部に、羽根の回転軸への固着時に前記第２の係止爪が係止する第２の係止部を、前記羽根の取り外し時に前記第１の係止爪が係止して前記カバーを前記羽根ロック部に対し分離阻止状態に保持する第１の係止部を設けた請求項１記載の羽根の着脱装置。
【請求項３】
第２の係止爪は中央部を頂部として上下方向に低く傾斜した凸形状で、第２の係止部は中央部を底部として上下方向に高く傾斜した凹形状である請求項２記載の羽根の着脱装置。
【請求項４】
第１の係止部は上方に向く折曲部を有し、第１の係止爪は前記第１の係止部の折曲部に上方から包み込むように係止する折り返し部を有した請求項２または３記載の羽根の着脱装置。
【請求項５】
羽根の回転軸への取り付け時に前記回転軸の先端部が当接する側の保持部の端部に、外方へ広がる傾斜面を形成した請求項１記載の羽根の着脱装置。
【請求項６】
羽根のボス部の回転軸嵌合部を、その先端面が傾斜面を形成した側の保持部の端部近傍に位置する箇所まで形成した請求項２記載の羽根の着脱装置。
【請求項７】
押圧部は突起部との当接部を、カバーの底面側に向かうにしたがって外方側に傾斜させて形成した請求項１記載の羽根の着脱装置。
【請求項８】
カバーの底面に、羽根の回転軸への取り付け時に押圧部の下端部が突出して羽根の取り付けを視認できる開口窓を設けた請求項１〜７のいずれか記載の羽根の着脱装置。
【請求項９】
押圧部とカバーとの色が異なる請求項８記載の羽根の着脱装置。
【請求項１０】
カバーと羽根の色が異なる請求項１記載の羽根の着脱装置。
【請求項１１】
カバーの大きさを直径４０〜５０ｍｍとした請求項１〜１０のいずれか記載の羽根の着脱装置。
【請求項１２】
カバーの底面の外方にフランジを延設した請求項１１記載の羽根の着脱装置。
【請求項１３】
フランジの外周部をＲ形状に形成した請求項１２記載の羽根の着脱装置。
【請求項１４】
カバーの底面の表面に刻印もしくはラベルによって羽根の着脱操作を表示した請求項１記載の羽根の着脱装置。
【請求項１５】
カバーの底面の表面にシボ加工を施した請求項１４のいずれか記載の羽根の着脱装置。
【請求項１６】
カバーの底面の中央部に水抜き孔を設けた請求項１記載の羽根の着脱装置。
【請求項１７】
底面の外周から水抜き孔に向かって低くなるように傾斜させた請求項１６記載の羽根の着脱装置。
【請求項１８】
羽根ロック部とボス部とが別体の構成要素で、複数の爪により接合して一体に形成されてなり、前記複数の爪は少なくとも１つの爪の形状が他の爪の形状と異なる請求項１記載の羽根の着脱装置。
【請求項１９】
羽根ロック部とボス部とが別体の構成要素で、複数の爪により接合して一体に形成されてなり、前記複数の爪のそれぞれの間隔が異なる請求項１〜１１のいずれか記載の羽根の着脱装置。
【発明の詳細な説明】
【技術分野】
【０００１】
本発明は、工具等を用いずに容易に羽根を着脱できる羽根の着脱装置に関する。
【背景技術】
【０００２】
従来のこの種の羽根の着脱装置として、羽根の回転軸への着脱を、羽根を回転軸に嵌めて押し付けることにより取り付け、また、指で挟む操作により回転軸への保持を解除して取り外すものが知られている（例えば、特許文献１参照）。
【０００３】
以下、その羽根の着脱装置について、図１０および図１１を参照しながら説明する。
【０００４】
図に示すように、電動機の回転軸１０１に、羽根１０２のブレード部１０３に設けたボス部１０４の係合部１０５が係合して回り止めとなる羽根回り止め部１０６と、凹溝１０７とを設け、ブレード部１０３に、凹溝１０７に係合し保持される保持部１０８と押圧部１０９とで回転軸１０１を囲むようにほぼＵ字状に形成した羽根ロック部１１０を対向するように一対設けて、羽根の着脱装置を構成している。
【０００５】
上記構成により、羽根１０２を回転軸１０１に取り付けるときは、ボス部１０４を回転軸１０１に嵌め、ボス部１０４に設けた係合部１０５を回転軸１０１に設けた羽根周り止め部１０６に係合するとともに、回転軸１０１の先端部分により羽根ロック部１１０の保持部１０８を開きながら回転軸１０１の凹溝１０７に案内して保持部１０８の弾性力で回転軸１０１を挟持することにより、羽根１０２を取り付け、羽根１０２を取り外すときは、押圧部１０９を指先で内方側に向け押圧することにより、押圧部１０９と一体に設けられた保持部１０８が回転軸１０１の凹溝１０７から離れる方向に移動することにより、羽根１０２を容易に取り外すことができる。
【特許文献１】特開２００４−１２４７８２号公報（第３頁、図１，２）
【発明の開示】
【発明が解決しようとする課題】
【０００６】
このような従来の羽根の着脱装置では、たとえば、パイプ用換気扇の羽根のように小さくて軽い羽根の場合は、回転軸１０１への保持力が長期間にわたって確保されるが、天井埋込形換気扇に組み込まれる遠心送風機の羽根のように、大きさおよび構造上、重量が大きくなるものは、長期間、回転軸１０１が垂直になる方向に設置されると、羽根ロック部１１０の保持力が徐々に低下し、場合によっては、羽根１０２が回転軸１０１から外れて落下してしまうという危険性もある。
【０００７】
本発明は、このような従来の課題を解決するものであり、天井等の高い位置に取り付けられ、また内部の空間が狭い機器に組み込まれる送風機の羽根の着脱が容易で、さらに、重量が大きい、あるいは垂直方向に向く回転軸に固着される羽根であっても、その落下を確実になくすことができる羽根の着脱装置を提供することを目的とする。
【課題を解決するための手段】
【０００８】
本発明の羽根の着脱装置は、上記目的を達成するために、回転軸に設けた羽根回り止め部に係合する係合部を備えた羽根のボス部に設けられ、前記回転軸に形成された凹溝に係合する保持部と、押圧することにより前記保持部を移動させる押圧部とを一体に形成した一対の羽根ロック部を備え、前記一対の羽根ロック部は、一対の前記保持部と前記押圧部をそれぞれにおいて前記回転軸を囲むように横断面形状でほぼＵ字状に形成し、前記一対の保持部を内面側で前記回転軸の前記凹溝を挟持するように設け、前記押圧部を内側に倒すことで前記保持部の保持力が解除されるように設けて構成されるとともに、前記羽根ロック部の全体を覆う有底筒状のカバーを前記羽根ロック部に上下方向移動自在に取り付け、前記カバーには、底面の裏面側に、前記押圧部に係合して前記押圧部の動きを阻止する突起状の押圧部固定部を設け、内周面に、前記押圧部固定部と前記押圧部との係合が解除される位置まで前記カバーを移動すると、前記押圧部を内側に倒す方向に当接する突起部を設けたものである。
【０００９】
また、他の手段は、カバーの内部に係止板を設け、前記係止板の上端部に第１の係止爪を、中間部に第２の係止爪を形成し、羽根ロック部に、羽根の回転軸への固着時に前記第２の係止爪が係止する第２の係止部を、前記羽根の取り外し時に前記第１の係止爪が係止して前記カバーを前記羽根ロック部に対し分離阻止状態に保持する第１の係止部を設けたものである。
【００１０】
また、他の手段は、第２の係止爪は中央部を頂部として上下方向に低く傾斜した凸形状で、第２の係止部は中央部を底部として上下方向に高く傾斜した凹形状のものである。
【００１１】
また、他の手段は、第１の係止部は上方に向く折曲部を有し、第１の係止爪は前記第１の係止部の折曲部に上方から包み込むように係止する折り返し部を有したものである。
【００１２】
また、他の手段は、羽根の回転軸への取り付け時に前記回転軸の先端部が当接する側の保持部の端部に、外方へ広がる傾斜面を形成したものである。
【００１３】
また、他の手段は、羽根のボス部の回転軸嵌合部を、その先端面が傾斜面を形成した側の保持部の端部近傍に位置する箇所まで形成したものである。
【００１４】
また、他の手段は、押圧部は突起部との当接部を、カバーの底面側に向かうにしたがって外方側に傾斜させて形成したものである。
【００１５】
また、他の手段は、カバーの底面に、羽根の回転軸への取り付け時に押圧部の下端部が突出して羽根の取り付けを視認できる開口窓を設けたものである。
【００１６】
また、他の手段は、押圧部とカバーとの色が異なるものである。
【００１７】
また、他の手段は、カバーと羽根の色が異なるものである。
【００１８】
また、他の手段は、カバーの大きさを直径４０〜５０ｍｍとしたものである。
【００１９】
また、他の手段は、カバーの底面の外方にフランジを延設したものである。
【００２０】
また、他の手段は、フランジの外周部をＲ形状に形成したものである。
【００２１】
また、他の手段は、カバーの底面の表面に刻印もしくはラベルによって羽根の着脱操作を表示したものである。
【００２２】
また、他の手段は、カバーの底面の表面にシボ加工を施したものである。
【００２３】
また、他の手段は、カバーの底面の中央部に水抜き孔を設けたものである。
【００２４】
また、他の手段は、底面の外周から水抜き孔に向かって低くなるように傾斜させたものである。
【００２５】
また、他の手段は、羽根ロック部とカバーとボス部とが別体の構成要素で、複数の爪により接合して一体に形成されてなり、前記複数の爪は少なくとも１つの爪の形状が他の爪の形状と異なるものである。
【００２６】
また、他の手段は、羽根ロック部とカバーとボス部とが別体の構成要素で、複数の爪により接合して一体に形成されてなり、前記複数の爪のそれぞれの間隔が異なるものである。
【発明の効果】
【００２７】
本発明によれば、羽根ロック部の全体を覆う有底筒状のカバーを羽根ロック部に上下方向移動自在に取り付け、カバーには、底面の裏面側に、羽根ロック部の押圧部に係合して押圧部の動きを阻止する突起状の押圧部固定部を設け、内周面に、押圧部固定部と押圧部との係合が解除される位置までカバーを移動すると、押圧部を内側に倒す方向に当接する突起部を設けたことにより、羽根ロック部を覆うカバーを取り付けたままで羽根の着脱が容易にできるので、高い機器の設置位置あるいは狭い機器本体内での羽根の着脱が容易になるとともに、羽根が垂直方向に向く回転軸に固着されたような場合であっても、その固着が外れて羽根が落下するのを確実に阻止でき、安全性が向上するという効果のある羽根の着脱装置を提供することができる。
【００２８】
また、カバーの内部に係止板を設け、係止板の上端部に第１の係止爪を、中間部に第２の係止爪を形成し、羽根ロック部に、羽根の回転軸への固着時に第２の係止爪が係止する第２の係止部を、羽根の取り外し時に第１の係止爪が係止してカバーを羽根ロック部に対し分離阻止状態に保持する第１の係止部を設けたことにより、機器の運転時には、羽根のがたつきによる騒音の発生がなくなり、羽根を取り外したときには、カバーは羽根ロック部から分離されないので、羽根取り付けの度にカバーを取り付けることが不要となり、また使用者が羽根ロック部を誤って分解したりすることを防止できる。
【００２９】
また、第２の係止爪は中央部を頂部として上下方向に低く傾斜した凸形状で、第２の係止部は中央部を底部として上下方向に高く傾斜した凹形状であることにより、羽根の取り外しをスムーズに行うことができる。
【００３０】
また、第１の係止部は上方に向く折曲部を有し、第１の係止爪は前記第１の係止部の折曲部に上方から包み込むように係止する折り返し部を有したことにより、カバーが羽根ロック部から分離されるのを確実に阻止して、カバーと羽根ロック部との連結状態を保持できることとなる。
【００３１】
また、羽根の回転軸への取り付け時に、回転軸の先端部が当接する側の保持部の端部に、外方へ広がる傾斜面を形成したことにより、羽根の取り付けが、より容易になる。
【００３２】
また、羽根のボス部の回転軸嵌合部を、その先端面が傾斜面を形成した側の保持部の端部近傍に位置する箇所まで形成したことにより、輸送時の落下または大きな振動、あるいは、地震などの振動に対して、羽根が外れて落下することを確実に阻止できる。
【００３３】
また、押圧部は突起部との当接部を、カバーの底面側に向かうにしたがって外方側に傾斜させて形成したことにより、羽根の取り外し操作がスムーズに行えることとなる。
【００３４】
また、カバーの底面に、羽根の回転軸への取り付け時に押圧部の下端部が突出して羽根の取り付けを視認できる開口窓を設けたことにより、羽根が確実に取り付いてロックがかかった状態ということが、使用者に明確になる。
【００３５】
また、押圧部とカバーとの色が異なることにより、羽根が確実に取り付いてロックがかかった状態ということが、使用者にとってより明確になる。
【００３６】
また、カバーと羽根の色が異なることにより、使用者が掃除等のお手入れをする際、羽根を着脱するためにつまむカバーを識別できるようになり、作業が明確になる。
【００３７】
また、カバーの大きさを直径４０〜５０ｍｍとしたことにより、カバーをしっかりとつまんで羽根の取り外しができ、操作がしやすいものとなり、かつ、機器の通風に影響を及ぼす大きさとならない。
【００３８】
また、カバーの底面の外方にフランジを延設したことにより、カバーを手前に引くときに力をかけやすくなり、羽根の取り外し操作がよりしやすいものとなる。
【００３９】
また、フランジの外周部をＲ形状に形成したことにより、フランジに触れても痛く不快に感じることがなくなり、快適な羽根のお手入れ作業ができることとなる。
【００４０】
また、カバーの底面の表面に刻印もしくはラベルによって羽根の着脱操作を表示したことにより、使用者がお手入れする際、取扱い説明書を見に行かなくても羽根の着脱操作を理解できることとなる。
【００４１】
また、カバーの底面の表面にシボ加工を施したことにより、機器内部の羽根周辺が薄暗いような場合であっても、羽根着脱操作の表示が判別できることとなる。
【００４２】
また、カバーの底面の中央部に水抜き孔を設けたことにより、カバー内部に結露水等の水滴を溜めずに排出することができ、水垢やシャフトの錆の発生を防止できる。
【００４３】
また、底面の外周から水抜き孔に向かって低くなるように傾斜させたことにより、水垢やシャフトの錆の発生の防止効果を高めることができる。
【００４４】
また、羽根ロック部とカバーとボス部とが別体の構成要素で、複数の爪により接合して一体に形成されてなり、複数の爪は少なくとも１つの爪の形状が他の爪の形状と異なることにより、羽根バランス等に起因する品質不良の発生をなくし、品質を確保できる。
【００４５】
また、羽根ロック部とカバーとボス部とが別体の構成要素で、複数の爪により接合して一体に形成されてなり、複数の爪のそれぞれの間隔が異なることにより、羽根バランス等に起因する品質不良の発生をなくし、品質の確保がより保障される。
【発明を実施するための最良の形態】
【００４６】
本発明の請求項１記載の羽根の着脱装置は、羽根ロック部の全体を覆う有底筒状のカバーを前記羽根ロック部に上下方向移動自在に取り付け、前記カバーには、底面の裏面側に、羽根ロック部の押圧部に係合して前記押圧部の動きを阻止する突起状の押圧部固定部を設け、内周面に、前記押圧部固定部と前記押圧部との係合が解除される位置まで前記カバーを移動すると、前記押圧部を内側に倒す方向に当接する突起部を設けたものであり、羽根を回転軸に取り付ける際には、カバーをつまんで回転軸がボス部に挿入されるように押し込めば、押圧部固定部が押圧部に当接する状態となって、羽根は回転軸から外れずに強固に固着され、一方、羽根を取り外す際には、カバーをつまんで手前に引けば、押圧部固定部と押圧部の係合が解除されるとともに、押圧部に内側へ倒す方向の力が作用して、羽根は容易に外れることとなるという作用を有する。
【００４７】
また、請求項２記載の羽根の着脱装置は、カバーの内部に係止板を設け、前記係止板の上端部に第１の係止爪を、中間部に第２の係止爪を形成し、羽根ロック部に、羽根の回転軸への固着時に前記第２の係止爪が係止する第２の係止部を、前記羽根の取り外し時に前記第１の係止爪が係止して前記カバーを前記羽根ロック部に対し分離阻止状態に保持する第１の係止部を設けたものであり、羽根の回転軸への固着時には、カバーが羽根ロック部に係止されて、羽根の固着が確実に保持され、羽根の取り外し時には、カバーが羽根ロック部から分離されないように保持される。
【００４８】
また、請求項３記載の羽根の着脱装置は、第２の係止爪は中央部を頂部として上下方向に低く傾斜した凸形状で、第２の係止部は中央部を底部として上下方向に高く傾斜した凹形状としたものであり、カバーを手前に引いて羽根を取り外す際に、第２の係止爪と第２の係止部の係止を無理な力を加えることなく外すことができるとともに、クリック感が得られる操作ができる。
【００４９】
また、請求項４記載の羽根の着脱装置は、第１の係止部は上方に向く折曲部を有し、第１の係止爪は前記第１の係止部の折曲部に上方から包み込むように係止する折り返し部を有したものであり、カバーは、第２の係止爪と係止部の係止が外れると、羽根ロック部に対し簡単に移動させることができるようになるが、第１の係止爪と係止部が、上方に向く折曲部とこの折曲部を上方から包み込むように係止する折り返し部によって、確実に係止状態を保持することとなる。
【００５０】
また、請求項５記載の羽根の着脱装置は、羽根の回転軸への取り付け時に前記回転軸の先端部が当接する側の保持部端部に、外方へ広がる傾斜面を形成したものであり、羽根の取り付け時に、回転軸の先端部が保持部の端部の傾斜面によって保持部内に挿入しやすくなる。
【００５１】
また、請求項６記載の羽根の着脱装置は、羽根のボス部の回転軸嵌合部を、その先端面が傾斜面を形成した側の保持部の端部近傍に位置する箇所まで形成したものであり、輸送時における機器の落下や大きな振動等によって回転軸の凹溝端面が保持部の傾斜面に外側へ向く力を加える事態に至る前に、回転軸嵌合部の先端面が、保持部の開く方向に対し直交する方向の力を加えるのみの作用をして、羽根の外れを阻止することとなる。
【００５２】
また、請求項７記載の羽根の着脱装置は、押圧部は突起部との当接部を、カバーの底面側に向かうにしたがって外方側に傾斜させて形成したものであり、羽根の取り外し時に、押圧部には徐々に内側へ倒れるように力が加わるので、カバーを手前に引いて羽根を取り外す操作がスムーズなものとなる。
【００５３】
また、請求項８記載の羽根の着脱装置は、カバーの底面に、羽根の回転軸への取り付け時に押圧部の下端部が突出して羽根の取り付けを視認できる開口窓を設けたものであり、押圧部の下端部がカバーの開口窓から突出することが見えることによって、カバーが羽根ロック部に完全に取り付き、羽根が回転軸に固着されたことを容易に確認できる。
【００５４】
また、請求項９記載の羽根の着脱装置は、押圧部とカバーとの色が異なるものであり、押圧部の下端部の開口窓からの突出が確認しやすくなる。
【００５５】
また、請求項１０記載の羽根の着脱装置は、カバーと羽根の色が異なるものであり、羽根の着脱操作をするためにつまむカバーを、一目で識別できる。
【００５６】
また、請求項１１記載の羽根の着脱装置は、カバーの大きさを直径４０〜５０ｍｍとしたものであり、羽根を取り外すためにカバーをつまんで手前に引く際、羽根が大きく重いものであっても、つまんで操作しやすい大きさであって、通風の支障とならない大きさとなる。
【００５７】
また、請求項１２記載の羽根の着脱装置は、カバーの底面の外方にフランジを延設したものであり、羽根の取り外し操作時に、フランジに指先をかけて引くことができることとなる。
【００５８】
また、請求項１３記載の羽根の着脱装置は、フランジの外周部をＲ形状に形成したものであり、羽根の着脱操作をする際にフランジに触れても、痛く不快に感じることがなくなる。
【００５９】
また、請求項１４記載の羽根の着脱装置は、カバーの底面の表面に刻印もしくはラベルによって羽根の着脱操作を表示したものであり、お手入れの際、羽根を着脱する場所において、その操作する内容が明確になる。
【００６０】
また、請求項１５記載の羽根の着脱装置は、カバーの底面の表面にシボ加工を施したものであり、シボ加工を施すことで、着脱操作の表示とその周りとにおける光の反射が異なってきて、表示が際立ってくる。
【００６１】
また、請求項１６記載の羽根の着脱装置は、カバーの底面の中央部に水抜き孔を設けたものであり、カバーの内部に結露水等の水滴が伝ってきても、水滴が溜まらなく、確実に排出できることとなる。
【００６２】
また、請求項１７記載の羽根の着脱装置は、底面の外周から水抜き孔に向かって低くなるように傾斜させたものであり、結露水をより溜まらないように確実に排出できることとなる。
【００６３】
また、請求項１８記載の羽根の着脱装置は、羽根ロック部とボス部とが別体の構成要素で、複数の爪により接合して一体に形成されてなり、前記複数の爪は少なくとも１つの爪の形状が他の爪の形状と異なるものであり、羽根バランス等を考慮して決めた所定の羽根ロック部およびカバーとボス部との取付方向しか取り付けることができない。
【００６４】
また、請求項１９記載の羽根の着脱装置は、羽根ロック部とボス部とが別体の構成要素で、複数の爪により接合して一体に形成されてなり、前記複数の爪のそれぞれの間隔が異なるものであり、羽根ロック部およびカバーとブボス部との取付方向が、所定の方向に確実に取り付けることができる。
【００６５】
以下、本発明の実施の形態について、図１〜図９を参照しながら説明する。
【００６６】
（実施の形態１）
実施の形態１は、図１に示すように、天井埋込形の換気扇に組み込まれる遠心送風機の羽根１の着脱装置に係るものであり、天井埋込形の換気扇は、天井裏に挿入設置され、下面に室内に臨む開口を有する箱状のフレーム２内に、スクロール状のケーシング３（図７に示す）と、ケーシング３内に配設され電動機４（図２に示す）によって回転駆動される遠心送風式の羽根１とからなる遠心送風機を組み込んで構成されている。
【００６７】
図２〜４に示すように、電動機４の回転軸５には、ピン６ａを直交貫通させて固着した羽根回り止め部６と、全周にわたって外方に開口した凹溝７とを設けている。
【００６８】
羽根１は、外周側に複数のブレードを備えたブレード部８と、中央部に電動機４の回転軸５を挿入して固着されるボス部９とを一体に形成してなり、ボス部９の上端部には、回転軸５の羽根回り止め部６に係合する係合部１０が形成され、また、回転軸５の凹溝７とで羽根１の抜け止めをなす羽根ロック部１１が設けられている。
【００６９】
羽根ロック部１１は、保持部１２と押圧部１３とで横断面形状がほぼＵ字状となるように一体的に形成されており、保持部１２を回転軸５の凹溝７の底面に当接させ、保持部１２と押圧部１３とで回転軸５を挟むように配設され、回転軸５に対して互い違いの方向に一対設けて、一対の羽根ロック部１１を構成する一対の保持部１２が、その弾性力により内面側どうしで凹溝７部を挟持して、羽根１を回転軸５に保持しており、回転軸５に対して互い違いの方向に一対設けられているので、一対となる押圧部１３を内側に倒すことで保持部１２の保持力が解除されるようになっている。
【００７０】
図４に示すように、保持部１２には、羽根１の回転軸５への取り付け時に回転軸５の先端部１４が当接する側の端部に、外方へ広がる傾斜面１５を形成しており、先端部１４の形状と相対する形状となっている。また、羽根１のボス部９の回転軸嵌合部１６を、その先端面１７が傾斜面１５を形成した側の保持部１２の端部近傍に位置する箇所まで形成しており、保持部１２が上下方向へ変形しても回転軸嵌合部１６の先端面１７によって規制される。
【００７１】
そして、ボス部９には、羽根ロック部１１の全体を覆う有底筒状のカバー１８を羽根ロック部１１に対し上下方向へ移動自在に設けている。
【００７２】
カバー１８には、底面の裏面側１９に、押圧部１３に係合して押圧部１３の動きを阻止する突起状の押圧部固定部２０を設け、また、内周面に、押圧部固定部２０と押圧部１３との係合が解除される位置までカバー１８を移動すると、押圧部１３を内側に倒す方向に当接する突起部２１を備え、押圧部１３の突起部２１との当接部２２も、カバー１８の底面側に向かうにしたがって外方側に傾斜するように形成されている。
【００７３】
また、図５に示すように、カバー１８の底面から上方へ係止板２３を設け、係止板２３の上端部に第１の係止爪２４を、中間部に第２の係止爪２５を形成し、羽根ロック部１１に、羽根１の回転軸５への固着時に第２の係止爪２５が係止する第２の係止部２６を、羽根１の取り外し時に第１の係止爪２４が係止してカバー１８を羽根ロック部１１に対し分離阻止状態に保持する第１の係止部２７を備えており、第２の係止爪２５は中央部を頂部として上下方向に低く傾斜した凸形状で、第２の係止部２６は中央部を底部として上下方向に高く傾斜した凹形状であり、第１の係止部２７は上方に向く折曲部を有し、第１の係止爪２４は第１の係止部２７の折曲部に上方から包み込むように係止する折り返し部２８を有している。
【００７４】
そして、図４および図６に示すように、カバー１８の底面に、羽根１の回転軸５への取り付け時に押圧部１３の下端部２９が突出して羽根１の取り付けを視認できる開口窓３０が設けられ、カバー１８が完全にボス部９に装着された状態では開口窓３０から押圧部１３の下端部２９が突出し、カバー１８が不十分に装着されている状態であれば、開口窓３０から下端部２９が突出することはない。
【００７５】
なお、押圧部１３を含む羽根１とカバー１８の色は、異なる色としている。
【００７６】
また、カバー１８の大きさは直径４０〜５０ｍｍとし、カバー１８の底面の外方にフランジ３１を延設し、フランジ３１の外周部３２をＲ形状に形成している。
【００７７】
また、図６に示すように、カバー１８の底面の表面側に羽根１の着脱操作を表示した刻印３３を設け、刻印３３の周りにはシボ加工を施してある。なお、刻印３３に代えてラベルを貼り付けてもよい。
【００７８】
また、カバー１８の底面の中央部に水抜き孔３４を設け、底面の外周から水抜き穴３４に向かって低くなるように傾斜させた構成となっている。
【００７９】
また、図３に示すように、羽根ロック部１１とボス部９とは、別体の構成要素で、複数の爪３５と穴３６を係合させて接合し、一体に形成されているが、複数の爪３５および穴３６のうち、少なくとも一組の爪３５および穴３６は他の爪３５および穴３６と幅が違い、形状が異なっている。したがって、これらの構成要素は羽根１の重量バランス等を考慮して決めた所定の取付け方向にしか取り付けることができず、重量バランスに起因する振動の発生等の防止ができ、品質を確保できる。
【００８０】
上記構成において、換気扇を長時間運転すると羽根１に埃等が付着し、風量が減少したり、騒音が高くなるので、羽根１を電動機４の回転軸５から取り外して掃除する必要があるが、この羽根１の取り外しは以下のようにして行われる。
【００８１】
まず、図７に示すように、フレーム２の下面を覆って取り付けられている前面パネル３７を外し、ケーシング３の下面に設けられて吸込口を形成したオリフィス３８を外す。
【００８２】
そして、羽根１を取り外す際には、フランジ３１に指をかけてカバー１８をつまんで手前に引けば、押圧部固定部２０と押圧部１３の係合が解除され、さらに、押圧部１３に内側へ倒す方向の力が作用して、羽根１は容易に外れる。この操作において、カバー１８の大きさは直径４０〜５０ｍｍとしたものであるので、羽根１を取り外すためにカバーをつまんで手前に引く際、羽根１が大きく重いものであっても、つまんで操作しやすい大きさであって、かつ、通風の支障とならない大きさとなる。また、第２の係止爪２５と第２の係止部２６は、傾斜した凸形状と凹形状の係止であるので、係止を無理な力を加えることなく外すことができるとともに、クリック感が得られる操作ができ、そして、カバー１８は、第２の係止爪２５と第２の係止部２６の係止が外れると、羽根ロック部１１に対し簡単に移動させることができるようになるが、図８に示すように、第１の係止爪２４と第１の係止部２７が、上方に向く折曲部とこの折曲部を上方から包み込むように係止する折り返し部２８によって確実に係止状態を保持することとなり、カバー１８が羽根ロック部１１から分離されないように保持される。この羽根１の着脱操作時、フランジ３１の外周部３２をＲ形状に形成しているため、羽根１の着脱操作をする際にフランジ３１に触れても痛く不快に感じることがない。また、押圧部１３は突起部２１との当接部２２を、カバー１８の底面側に向かうにしたがって外方側に傾斜させて形成しているため、押圧部１３には徐々に内側へ倒れるように力が加わり、カバー１８を手前に引いて羽根１を取り外す操作がスムーズなものとなる。
【００８３】
そして、羽根１の掃除を終え回転軸５に取り付けるときは、カバー１８をつまんで回転軸５がボス部９に挿入されるように押し込めば、押圧部固定部２０が押圧部１３に当接する状態となって、羽根１は回転軸５から外れずに強固に固着され、一対の保持部１２が羽根１の荷重により押し広げられように動くのを阻止し、長期間設置されても保持部１２が凹溝７から外れることがなく、羽根１が回転軸５から抜け落ちることを確実に阻止することができる。この回転軸５の挿入の際、回転軸５の先端部１４が当接する側の保持部１２の端部に形成した外方へ広がる傾斜面１５によって保持部１２内に挿入しやすく、また、第２の係止爪２５は中央部を頂部として上下方向に低く傾斜した凸形状であるため、容易に押圧部固定部２０が押圧部１３に当接する状態とすることができる。
【００８４】
そして、羽根１が完全に取り付けられると、押圧部１３の下端部２９がカバー１８の開口窓３０から突出するのを見ることが可能となり、カバー１８が羽根ロック部１１に完全に取り付き、羽根１が回転軸５に固着されたことを容易に確認できる。
【００８５】
さらに、押圧部１３を含む羽根１の色がカバー１８の色と異なるので、開口窓３０における押圧部１３をより認識しやすくなるとともに、上記の羽根１の着脱の操作時に、操作に対応する構成要素が一目で識別でき、目的の操作が迷わずに確実にできることとなる。また、カバー１８に表示されたお手入れの方法を示す刻印３３により、お手入れ方法がより明確になり、刻印３３付近のシボにより光の反射を抑え、より刻印３３を目立たせることができる。
【００８６】
一方、換気扇を設置する場所によっては、カバー１８に水の溜まることがあるが、少し溜まったところで下部に設けた水抜き孔３４から下方に落ちて排出されるので、カバー１８内に長時間水を溜めることがなくなり、羽根１を固着している回転軸５に錆が発生したり、カバー１８内に水垢が発生するのを抑制することができる。
【００８７】
さらに、カバー１８の裏面側１９を、水抜き穴３４に向かって低くなる傾斜をつけた形状としているので、水の排出効果が高まる。
【００８８】
また、製品の輸送時に換気扇の落下や大きな振動等によって大きな衝撃を受けても、ボス部９の回転軸嵌合部１６を、その先端面１７が傾斜面１５を形成した側の保持部１２の端部近傍に位置する箇所まで形成しているため、回転軸５の凹溝７の端面が保持部１２の傾斜面１５に外側へ向く力を加える事態に至る前に、回転軸嵌合部１６の先端面１７が、保持部１２の開く方向に対し直交する方向の力を加えるのみの作用をして、羽根１の外れを阻止することとなる。
【００８９】
以上のように本発明の実施の形態１の羽根の着脱装置によれば、天井に取り付けられ、内部の空間が狭い天井埋込形の換気扇のフレーム２内に組み込まれた送風機の羽根１の着脱が容易であり、羽根１の着脱が容易であっても、羽根１が電動機４の回転軸５から外れて落下するのを確実に阻止することができ、さらに、これらの羽根１の容易な着脱、羽根１の確実な落下防止を達成できる構成としても、羽根１の落下防止のための操作が、迷わずに手間なく、かつ、確実に行うことができることとなる。
【００９０】
（実施の形態２）
実施の形態２の羽根の着脱装置は、図９に示すように、上記実施の形態１の羽根の着脱装置に対し、別体の構成要素である羽根ロック部１１Ａとボス部９Ａとを接合して一体に形成する複数の爪３５Ａおよび穴３６Ａの配置間隔を、等間隔でなく不均一にした点が相違する。
【００９１】
上記構成により、羽根１の重量バランス等を考慮して決めた所定の取付け方向とは異なる方向に誤って取り付けることが確実になくなり、品質が確保されることとなる。
【産業上の利用可能性】
【００９２】
羽根の着脱が容易で、しかも、羽根の回転軸からの落下が確実に阻止できる着脱装置であるので、とくに高所に取り付けられる機器に組み込まれる送風機に有用である。
【図面の簡単な説明】
【００９３】
【図１】本発明の実施の形態１の羽根の着脱装置を備えた天井埋込形換気扇の斜視図
【図２】同羽根の着脱装置を示す断面図
【図３】同羽根の着脱装置の分解斜視図
【図４】同羽根の着脱装置の拡大断面図
【図５】同羽根の着脱装置の羽根ロック部とカバーとの係止に係る拡大断面図
【図６】同羽根の着脱装置における羽根の斜視図
【図７】同羽根の取り外し状況を示す分解斜視図
【図８】同羽根の取り外し時におけるカバーを引き下ろした状態の拡大断面図
【図９】本発明の実施の形態２の羽根の着脱装置の分解斜視図
【図１０】従来の羽根の着脱装置の拡大断面図
【図１１】同羽根の着脱装置の平面図
【符号の説明】
【００９４】
１      羽根
５      回転軸
６      羽根回り止め部
７      凹溝
９      ボス部
９Ａ    ボス部
１０    係合部
１１    羽根ロック部
１１Ａ  羽根ロック部
１２    保持部
１３    押圧部
１４    先端部
１５    傾斜面
１６    回転軸嵌合部
１７    先端面
１８    カバー
１９    裏面側
２０    押圧部固定部
２１    突起部
２２    当接部
２３    係止板
２４    第１の係止爪
２５    第２の係止爪
２６    第２の係止部
２７    第１の係止部
２８    折り返し部
２９    下端部
３０    開口窓
３１    フランジ
３２    外周部
３３    刻印
３４    水抜き孔
３５    爪
３５Ａ  爪
【図１】
2010163870.tif 000003
【図２】
2010163870.tif 000004
【図３】
2010163870.tif 000005
【図４】
2010163870.tif 000006
【図５】
2010163870.tif 000007
【図６】
2010163870.tif 000008
【図７】
2010163870.tif 000009
【図８】
2010163870.tif 000010
【図９】
2010163870.tif 000011
【図１０】
2010163870.tif 000012
【図１１】
2010163870.tif 000013